(57)【要約】【課題】デジタルカメラにおいて、ユーザがマニュアルで露出を設定した場合のモニタ視認性を確保するとともに輝度ヒストグラムを適正に表示する。【解決手段】操作部３００で露出モードがマニュアル露出モードに設定されると、ＣＰＵ２００はフレーム毎に露出パラメータとして適正値とマニュアル値とを交互に設定する。露出パラメータを適正値に設定して得られる画像信号はモニタ信号処理回路１０７に供給され、被写体像として液晶モニタ１１１に表示される。露出パラメータをマニュアル値に設定して得られる画像信号はヒストグラム生成回路１０８に供給され、輝度ヒストグラムが生成されてＬＣＤ駆動回路１１０に供給される。ＬＣＤ駆動回路１１０は被写体画像に輝度ヒストグラムを合成して液晶モニタ１１１に表示する。【選択図】図１
2007110454.tif 000002
【特許請求の範囲】
【請求項１】
被写体を撮像する撮像素子と、
前記撮像素子からの画像信号に基づき適正露出を得る第１の露出条件を導出する手段と、
撮像時の第２の露出条件を手動設定する設定手段と、
前記撮像素子からの画像信号に基づき被写体画像を表示する表示手段と、
前記第１の露出条件で撮像した前記被写体像を前記表示手段に表示し、かつ、前記第２の露出条件で撮像した画像信号から輝度ヒストグラムを算出して前記被写体像に重畳表示する制御手段と、
を有することを特徴とする撮像装置。
【請求項２】
請求項１記載の装置において、
前記制御手段は、前記撮像素子からの画像信号に、前記第１の露出条件と前記第２の露出条件とを交互に設定することを特徴とする撮像装置。
【請求項３】
請求項２記載の装置において、
前記制御手段は、前記第１の露出条件と前記第２の露出条件とをフレーム毎あるいはフィールド毎に交互に設定することを特徴とする撮像装置。
【請求項４】
請求項１記載の装置において、
前記制御手段は、前記第１の露出条件と前記第２の露出条件との相違に基づき、前記適正露出で得られる画像信号を補正し、補正した画像信号から前記輝度ヒストグラムを算出することを特徴とする撮像装置。
【請求項５】
請求項１〜４のいずれかに記載の装置において、
前記露出条件は、絞り値、露出時間、撮影感度の少なくともいずれかであることを特徴とする撮像装置。
【請求項６】
請求項１〜５のいずれかに記載の装置において、さらに、
撮影指示を入力する操作手段と、
撮影画像を記憶する記憶手段と、
を有し、前記制御手段は、前記撮影指示が入力されるまでのプレビューモードにおいて前記被写体像と前記輝度ヒストグラムを前記表示手段に重畳表示し、前記撮影指示が入力された場合に前記第２の露出条件で撮像した画像信号を前記記憶手段に格納することを特徴とする撮像装置。
【請求項７】
撮影光学系と、
前記光学系からの光を電気信号に変換して画像信号として出力する撮像素子と、
前記撮像素子にクロックパルスを供給して駆動する撮像素子駆動回路と、
前記撮像素子からの前記画像信号を増幅する増幅回路と、
前記増幅回路からの画像信号に基づき被写体像を表示するモニタと、
を有する撮像装置であって、
撮影時の露出モードとして自動露出モードとマニュアル露出モードの少なくともいずれかを設定可能なモード設定手段と、
前記露出モードとして前記マニュアル露出モードが設定された場合に、前記自動露出モードが設定された場合の露出条件を設定して得られる第１画像信号と、前記マニュアル露出モードで設定された露出条件で得られる第２画像信号とを交互に生成するプロセッサと、
前記第２画像信号から輝度ヒストグラムを算出して輝度ヒストグラム信号を出力するヒストグラム生成回路と、
前記第１画像信号と前記輝度ヒストグラム信号とを合成して前記モニタに供給する表示駆動回路と、
を有することを特徴とする撮像装置。
【請求項８】
撮影光学系と、
前記光学系からの光を電気信号に変換して画像信号として出力する撮像素子と、
前記撮像素子にクロックパルスを供給して駆動する撮像素子駆動回路と、
前記撮像素子からの前記画像信号を増幅する増幅回路と、
前記増幅回路からの画像信号に基づき被写体像を表示するモニタと、
を有する撮像装置であって、
撮影時の露出モードとして自動露出モードとマニュアル露出モードの少なくともいずれかを設定可能なモード設定手段と、
前記露出モードとして前記マニュアル露出モードが設定された場合に、前記自動露出モードが設定された場合の露出条件を設定して得られる第１画像信号を生成するとともに、前記自動露出モードが設定された場合の露出条件と前記マニュアル露出モードで設定された場合の露出条件との相違に基づく露出補正係数を算出するプロセッサと、
前記第１画像信号を前記露出補正係数で補正して得られる第２画像信号から輝度ヒストグラムを算出して輝度ヒストグラム信号を出力するヒストグラム生成回路と、
前記第１画像信号と前記輝度ヒストグラム信号とを合成して前記モニタに供給する表示駆動回路と、
を有することを特徴とする撮像装置。
【発明の詳細な説明】
【技術分野】
【０００１】
本発明はデジタルカメラ等の撮像装置に関し、特に被写体の輝度ヒストグラムを表示する技術に関する。
【背景技術】
【０００２】
従来より、デジタルカメラで撮影した画像の各輝度レベルに対して、画素数がどのように分布しているかをグラフ表示したヒストグラムをデジタルカメラの液晶モニタに表示する技術が知られている。通常、ヒストグラム表示は撮影済みの画像を再生する際に表示するが、撮影前のいわゆるプレビュー（あるいはライブビュー）モードにおいて撮像素子で生成した画像信号を連続的に液晶モニタに表示する際にプレビュー画像の輝度ヒストグラムを作成して表示する技術（リアルタイムヒストグラム）も提案されている。
【０００３】
下記の特許文献１には、撮像素子からの画像信号の所定区間における輝度ヒストグラムを計算して表示する技術が開示されている。
【０００４】
また、下記の特許文献２には、輝度ヒストグラムを表示するとともに、ユーザによる露出調整に応じて輝度ヒストグラムの表示色を変化させることが開示されている。すなわち、ユーザによる露出調整が調整可能範囲の上限あるいは下限に設定された場合に輝度ヒストグラムの表示色を変化させてユーザに報知するものである。
【０００５】
さらに、下記の特許文献３には、輝度ヒストグラムを表示するとともに、輝度ヒストグラムの設定範囲における輝度値を適正露出に設定することが開示されている。
【０００６】
【特許文献１】特開平７−３８８０１号公報
【特許文献２】特開２００１−２４５２０４号公報
【特許文献３】特開２００４−９６６２４号公報
【発明の開示】
【発明が解決しようとする課題】
【０００７】
リアルタイムヒストグラム機能は、撮影前に露出の適否を確認することができるので便利であるが、デジタルカメラの露出モードをマニュアル露出に設定した場合に問題が生じ得る。
【０００８】
すなわち、たとえマニュアル露出に設定したとしても、液晶モニタに表示する画像については液晶モニタのサイズや解像度を考慮してユーザにより手動設定された露出値にかかわらず適正な露出を与えるような値で得られた画像を表示する。なぜなら、手動値では液晶モニタに表示された画像が極端に暗くなったり明るくなったりするので視認が困難となるからである。一方、液晶モニタ表示のための画像（つまり露出値として適正値を与えた画像）に基づいて輝度ヒストグラムを算出し表示すると、適正露出での輝度ヒストグラムを表示することになるため、実際にユーザが手動設定した露出条件を反映することができず、当該ユーザにとり撮影条件を確認するための指標となり得ない問題があった。
【０００９】
本発明の目的は、液晶モニタ等の表示装置に表示される画像の視認性を損なうことなく、ユーザにより手動設定された露出条件を反映した輝度ヒストグラムを表示することができる撮像装置を提供することにある。
【課題を解決するための手段】
【００１０】
本発明は、被写体を撮像する撮像素子と、前記撮像素子からの画像信号に基づき適正露出を得る第１の露出条件を導出する手段と、撮像時の第２の露出条件を手動設定する設定手段と、前記撮像素子からの画像信号に基づき被写体画像を表示する表示手段と、前記第１の露出条件で撮像した前記被写体像を前記表示手段に表示し、かつ、前記第２の露出条件で撮像した画像信号から輝度ヒストグラムを算出して前記被写体像に重畳表示する制御手段とを有することを特徴とする。
【００１１】
本発明の１つの実施形態では、前記制御手段は、前記撮像素子からの画像信号に、前記第１の露出条件と前記第２の露出条件とを交互に設定する。
【００１２】
また、本発明の他の実施形態では、前記制御手段は、前記第１の露出条件と前記第２の露出条件との相違に基づき、前記適正露出で得られる画像信号を補正し、補正した画像信号から前記輝度ヒストグラムを算出する。
【発明の効果】
【００１３】
本発明によれば、ユーザが撮像時の露出条件を手動設定した場合でも、表示手段には適正露出の被写体像が表示されて被写体を確実に視認できるとともに、輝度ヒストグラムはユーザが手動設定した露出条件に応じた輝度ヒストグラムが表示されるため、ユーザは露出条件の適否を確認することができる。
【発明を実施するための最良の形態】
【００１４】
以下、図面に基づき本発明の実施形態について説明する。
＜第１実施形態＞
図１に、本実施形態に係るデジタルカメラの構成ブロック図を示す。レンズ１０及び絞り１２を含む光学系は撮像素子１０１に被写体像を結像する。
【００１５】
撮像素子１０１はＣＣＤやＣＭＯＳで構成され、被写体像を電気信号に変換し画像信号としてアナログ画像処理回路１０２に出力する。撮像素子１０１の動作はクロックドライバ１０３から供給されるクロックパルスにより制御される。
【００１６】
アナログ画像処理回路１０２は画像信号にクランプ処理、増幅、ＣＤＳ（相関２重サンプリング）等の各処理を施してＡＤ変換回路１０４に出力する。
【００１７】
ＡＤ変換回路１０４はアナログ画像信号をデジタル画像信号に変換してデジタル信号処理回路１０５に出力する。
【００１８】
デジタル信号処理回路１０５は色信号処理、ホワイトバランス調整、ガンマ補正等の各処理を施してマルチプレクサ１０６（あるいはセレクタ）に出力する。
【００１９】
マルチプレクサ１０６はＣＰＵ２００からの指令に応じ、モニタ信号処理回路１０７、ヒストグラム生成回路１０８、画像処理プロセッサ１０９、ＣＰＵ２００のいずれか１つあるいは複数を選択してデジタル信号処理回路１０５から供給された画像信号を転送する。
【００２０】
モニタ信号処理回路１０７はマルチプレクサ１０６から供給された画像信号をＮＴＳＣ、ＰＡＬその他の規格に準拠したモニタ表示用信号に変換してＬＣＤ駆動回路１１０に出力する。
【００２１】
ヒストグラム生成回路１０８はマルチプレクサ１０６から供給された画像信号を分析し、各輝度レベル毎の画素数を算出することで輝度ヒストグラムを作成する。ヒストグラム生成回路１０８は作成した輝度ヒストグラムを液晶モニタ１１１の画面にスーパーインポーズするための画像信号としてＬＣＤ駆動回路１１０に出力する。
【００２２】
ＬＣＤ駆動回路１１０は液晶モニタ１１１の画素数に相当するＶＲＡＭを有し、ＶＲＡＭ上でモニタ信号処理回路１０７からの画像信号とヒストグラム生成回路１０８からの輝度ヒストグラム信号とをスーパーインポーズの形態で合成し、液晶モニタ１１１に表示する。これにより、液晶モニタ１１１には輝度ヒストグラム画像が被写体画像に重畳して表示されることになる。
【００２３】
画像処理プロセッサ１０９はマルチプレクサ１０６から供給された画像信号を処理してＪＰＥＧフォーマットとし、あるいはＲＡＷフォーマットで半導体メモリカード１１２に格納する。
【００２４】
ＣＰＵ２００は操作部３００からの操作信号に応じて回路全体のシーケンスを制御するとともに、デジタルカメラの露出制御、オートフォーカス、ホワイトバランス等の信号処理と制御を行う。操作部３００は露出モードとして自動露出（ＡＥ）あるいはマニュアル露出モードを有し、ユーザはいずれかのモードを選択設定することができる。露出モードをマニュアル露出モードに設定した場合、さらに露出値を細かく設定することができる。
本実施形態において、露出は以下の３つのパラメータを制御することで実行される。
（１）絞り１２の絞り値
（２）クロックドライバ１０３により制御される撮像素子１０１の積分時間
（３）アナログ画像処理回路１０２に含まれる増幅器の増幅率
【００２５】
ＣＰＵ２００は被写体の明るさに応じた適正露出となるようにこれらのパラメータを適正値に自動設定するとともに、操作部３００から入力されたユーザの手動値に応じてこれらのファクタを設定する。具体的には、デジタルカメラの電源がＯＮされ、プレビューモードに設定された場合は液晶モニタ１１１に適正露出の被写体画像が表示されるように適正値を自動設定し、かつ、ユーザが操作部３００から露出値を手動設定した場合に所定頻度で適正露出値からこの手動露出値に切り替えて画像信号を生成し、輝度ヒストグラムを算出して被写体画像に重畳表示する。
【００２６】
図２に、本実施形態の処理フローチャートを示す。まず、デジタルカメラの電源をＯＮにすると（Ｓ１０１）、回路全体に電力が供給され、ＣＰＵ２００からの指令によりクロックドライバ１０３から駆動クロックパルスが撮像素子１０１に供給される。撮像素子１０１はこの駆動クロックパルスのタイミングに同期したタイミングで画像信号を出力する。レリーズボタン３０２を全押し（Ｓ２）して撮影動作に入るまではデジタルカメラはプレビューモードにあり（Ｓ１０２でＮＯ）、ＣＰＵ２００は露出パラメータを適正値に設定する（Ｓ１０３）。すなわち、ＣＰＵ２００は撮像素子１０１から繰り返し読み出される画像信号をアナログ信号処理回路１０２、Ａ／Ｄ変換回路１０４、デジタル信号処理回路１０５、マルチプレクサ１０６を介して取り込み、取り込んだ画像信号を分析して適正露出となるように上記の３つの露出パラメータを適正値に調整する。ＣＰＵ２００は露出パラメータを適正値（露出モードを自動露出モードに設定したときの露出値）に調整しつつ、ドラフトモードで撮像素子１０１から画像信号を読み出す（Ｓ１０４）。ここに、ドラフトモードとは液晶モニタ１１１に表示するための画像信号を生成するモードであり、画素数があまり必要でないことからいくつかの画素をまとめてこれらの蓄積電荷を加算し、高速で読み出すモードである。露出パラメータを適正値に設定した場合の画像信号を第１画像信号と称する。第１画像信号は上記のとおりアナログ画像処理回路１０２、ＡＤ変換回路１０４、デジタル信号処理回路１０５、マルチプレクサ１０６に供給される。マルチプレクサ１０６はＣＰＵ２００からの指令に応じ、プレビューモード時には第１画像信号をモニタ信号処理回路１０７及びＣＰＵ２００に出力する。
【００２７】
１フレーム期間（ノンインタレースの場合であり、インタレースの場合には１フィールド期間）だけ第１画像信号を読み出した後、ＣＰＵ２００は次に露出パラメータを操作部３００から入力されたユーザの手動値に設定する（Ｓ１０５）。ＣＰＵ２００は露出パラメータを手動値に設定しつつ、ドラフトモードで撮像素子１０１から画像信号を読み出す（Ｓ１０６）。露出パラメータを手動値に設定した場合の画像信号を第２画像信号と称する。第２画像信号も第１画像信号と同様にアナログ画像処理回路１０２、ＡＤ変換回路１０４、デジタル信号処理回路１０５、マルチプレクサ１０６に供給される。マルチプレクサ１０６はＣＰＵ２００からの指令に応じ、プレビューモード時には第２画像信号をヒストグラム生成回路１０８に出力する。ヒストグラム生成回路１０８は第２画像信号を分析してその輝度ヒストグラムを算出し（Ｓ１０７）、スーパーインポーズ用の輝度ヒストグラム信号としてＬＣＤ駆動回路１１０に出力する。ＬＣＤ駆動回路１１０は第１画像信号と輝度ヒストグラムとを合成して液晶モニタ１１１に出力し、液晶モニタ１１１は第１画像信号と輝度ヒストグラムとを重畳表示する（Ｓ１０８）。輝度ヒストグラムは露出パラメータを適正値に設定することで生成される第１画像信号ではなく、露出パラメータを手動値に設定することで得られる第２画像信号から算出するので、液晶モニタ１１１に表示される被写体画像は適正露出である一方、重畳表示される輝度ヒストグラムはユーザが手動で設定した露出値に応じた輝度ヒストグラムとなる。
【００２８】
なお、本実施形態において、露出パラメータの切替は１フレーム期間、すなわち１／３０秒（１フィールド期間では１／６０秒）で行われることとなり、絞り１２の絞り値制御についてはメカニカルな制御となるのでこの切替サイクルに追従できない場合もあり得る。このような場合には、絞り値以外の他の露出パラメータを変更すればよい。すなわち、絞り１２のＦナンバをＡ、積分時間をＴ、増幅率により設定される撮影感度をＳとすると、Ａ2／（ＴＳ）の値が同じになるようにＴあるいはＳを変更すればよい。例えば、操作部３００の操作によりユーザが露出モードをマニュアル露出モードに設定し、露出パラメータとしてＡ＝Ｆ１１、Ｔ＝１／５００（秒）、Ｓ＝ＩＳＯ２００に手動設定したとする。そして、ＣＰＵ２００が撮像素子１０１から繰り返し読み出された画像信号をアナログ画像処理回路１０２、ＡＤ変換回路１０４、デジタル信号処理回路１０５、マルチプレクサ１０６を介して取り込み、これを分析して適正露出値としてＡ＝Ｆ５．６、Ｔ＝１／１２５秒、Ｓ＝ＩＳＯ１００と設定したとする。このような場合、絞り１２の絞り値はＦ５．６とＦ１１との間で切り替えるのではなくＦ１１に固定し、その代わりにＴを１／５００（秒）と１／３０（秒）の間で切り替え（１／５００と１／１２５（秒）の間で切り替えるのではなく）、あるいはＳをＩＳＯ２００とＩＳＯ４００との間で切り替える（ＩＳＯ２００とＩＳＯ１００の間で切り替えるのではなく）ことで対応できる。
【００２９】
以上のようにしてプレビューモードにおいて被写体画像を適正露出で表示するとともに輝度ヒストグラムはユーザが手動設定した露出条件に合致したヒストグラムとなる。ユーザは適正露出の被写体画像を視認することで構図を容易に決定でき、かつ、輝度ヒストグラムを視認することで自己が設定した露出条件もヒストグラムとして確認することができる。
【００３０】
この状態でユーザがレリーズボタン３０２を全押しすると（Ｓ１０２でＹＥＳ）、プレビューモードから撮影モードに切り替わり、ＣＰＵ２００は露出パラメータを手動値に設定し（Ｓ１０９）、撮影モードで撮像素子１０１から第２画像信号を読み出す（Ｓ１１０）。撮影モードはドラフトモードと異なり、撮像素子１０１の全画素の蓄積電荷を読み出すモードである。第２画像信号はアナログ画像処理回路１０２、ＡＤ変換回路１０４、デジタル信号処理回路１０５を介してマルチプレクサ１０６に供給される。マルチプレクサ１０６はＣＰＵ２００からの指令に応じ、撮影モード時には第２画像信号を画像処理プロセッサ１０９に出力する。画像処理プロセッサ１０９は第２画像信号に圧縮等の必要な処理を施し、撮影画像として半導体メモリカード１１２に格納する（Ｓ１１１）。
【００３１】
図３に、本実施形態のタイミングチャートを示す。露出パラメータを適正値に設定して得られる第１画像信号と、露出パラメータを手動値に設定して得られる第２画像信号は１フレーム毎に交互に出力される。そして、第２画像信号を解析して輝度ヒストグラムが得られた後に、第１画像信号と輝度ヒストグラムとをスーパーインポーズして液晶モニタ１１１に表示する。第１フレームで第１画像信号を出力してＶＲＡＭに格納し、次の第２フレームで輝度ヒストグラムを作成してＶＲＡＭに格納するので、次の第３フレームから両者をスーパーインポーズした画像が表示される。
【００３２】
図４に、プレビューモードにおける液晶モニタ１１１の画面例を示す。被写体画像１１１ａがマニュアル露出モードで設定した露出条件に依存しない適正露出で表示され、さらに画面の所定位置にユーザの設定した露出条件での輝度ヒストグラム１１１ｂ、つまりレリーズボタン３０２を全押しして撮影されるであろう画像の輝度ヒストグラムが重畳表示される。従って、液晶モニタ１１１での視認性を損なうことなく、かつ、ユーザの意図した露出条件での撮影が可能となる。
【００３３】
＜第２実施形態＞
図５に、本実施形態に係るデジタルカメラの構成ブロック図を示す。図１との主な相違点は、マルチプレクサ１０６を有しない点である。第１実施形態では交互に生成された第１画像信号と第２画像信号とをマルチプレクサ１０６で切り替えてモニタ信号処理回路１０７とヒストグラム生成回路１０８に出力しているが、本実施形態ではプレビューモード時の表示用画像信号（つまり第１画像信号）から輝度ヒストグラムを算出する。
【００３４】
ＡＤ変換回路１０４は第１実施形態と同様にアナログ画像処理回路１０２から供給されたアナログ画像信号をデジタル画像信号に変換するが、変換後の画像信号をデジタル信号処理回路１０５に加えヒストグラム生成回路１０８にも出力する。
【００３５】
デジタル信号処理回路１０５は第１実施形態と同様に色信号処理やホワイトバランス調整等を施すが、処理後の信号をモニタ信号処理回路１０７に加え画像処理プロセッサ１０９にも出力する。
【００３６】
ヒストグラム生成回路１０８はＡＤ変換回路１０４から供給された画像信号に基づき輝度ヒストグラムを算出するが、この際にＣＰＵ２００からの指令に応じ、画像信号の各画素の輝度信号Ｙの値をユーザが設定した露出条件に応じて補正した値に基づいて輝度ヒストグラムを算出する。すなわち、プレビューモード時には第１実施形態と同様にユーザがマニュアル露出モードで設定した手動値によらずに適正露出値に設定するため、ＡＤ変換回路１０４から供給される画像信号は適正露出で得られた画像信号（第１画像信号）であるためこのままではユーザの設定した露出条件での輝度ヒストグラムを算出することができない。そこで、ＣＰＵ２００は操作部３００から入力された手動値をヒストグラム生成回路１０８に供給し、ヒストグラム生成回路１０８は手動値に基づいて第１画像信号の輝度信号を補正して輝度ヒストグラムを算出する。本実施形態は、いわば第１画像信号から第２画像信号を演算により擬似的に生成すると表現することができる。
【００３７】
図６に、本実施形態の処理フローチャートを示す。まず、電源をＯＮすると（Ｓ２０１）、レリーズボタン３０２が全押しされない限り（Ｓ２０２）プレビューモードに移行し、ＣＰＵ２００は露出パラメータを適正露出となる適正値に設定する（Ｓ２０３）。すなわち、ＣＰＵ２００は撮像素子１０１から繰り返し読み出される画像信号をアナログ信号処理回路１０２、Ａ／Ｄ変換回路１０４、デジタル信号処理回路１０５を介して取り込み、取り込んだ画像信号を分析して適正露出となるように上記の３つの露出パラメータを適正値に調整する。ＣＰＵ２００は露出パラメータを適正値に調整しつつ、ドラフトモードで撮像素子１０１から画像信号を読み出す（Ｓ２０４）。露出パラメータを適正値に設定して得られた画像信号は第１画像信号としてデジタル信号処理回路１０５及びヒストグラム生成回路１０８に供給される。デジタル信号処理回路１０５は色信号処理等の各種処理を施してモニタ信号処理回路１０７に出力する。モニタ信号処理回路１０７はＮＴＳＣ等の規格に準拠した信号に変換してＬＣＤ駆動回路１１０に出力する。
【００３８】
第１画像信号を入力したヒストグラム生成回路１０８はＢａｙｅｒ配列等のモザイクフィルタによる各画素１色ずつの情報から補間等の処理を行い、Ｙ−Ｃｂ−Ｃｒの信号に変換する。次に、変換して得られた信号から輝度信号Ｙのみを抽出して輝度信号ＹにＣＰＵ２００から供給された露出倍数Ｋを乗じる。すなわち、ＣＰＵ２００で露出倍数Ｋを算出し（Ｓ２０５）、ヒストグラム生成回路１０８で輝度信号Ｙに露出倍数Ｋを乗じて第２画像信号を演算により生成する（Ｓ２０６）。
【００３９】
露出倍数Ｋは第１画像信号から第２画像信号を生成するための露出補正係数として機能し、具体的には以下のようにして算出される。操作部３００により手動設定された絞り値をＡｍ、露出時間をＴｍ、撮影感度をＳｍとし、プレビュー表示するための適正絞り値をＡａ、適正露出時間をＴａ、適正撮影感度をＳａとすると、露出倍数Ｋは
Ｋ＝（Ｔｍ×Ｓｍ／Ａｍ2）／（Ｔａ×Ｓａ／Ａａ2）
で算出される。露出倍数Ｋが２ということは、手動設定の露出パラメータを適用して撮影すると２倍、つまり＋１Ｅｖの露出オーバということになり、逆に露出倍数Ｋが１／２ということは−１Ｅｖの露出不足ということになる。
【００４０】
ヒストグラム生成回路１０８は、第１画像信号の各画素の輝度信号Ｙに露出倍数Ｋを乗じて手動設定したときの画像信号である第２画像信号を演算で擬似的に生成し、この第２画像信号に対してガンマ補正等の各種処理（デジタル信号処理回路１０５と同一の処理）に基づいて輝度ヒストグラムを算出する（Ｓ２０７）。ヒストグラム生成回路１０８は算出した輝度ヒストグラムをＬＣＤ駆動回路１１０に出力する。ＬＣＤ駆動回路１１０は、モニタ信号処理回路１０７からの画像信号とヒストグラム生成回路１０８からの輝度ヒストグラムをスーパーインポーズして液晶モニタ１１１に表示する（Ｓ２０８）。
【００４１】
一方、ユーザがレリーズボタン３０２を全押しすると（Ｓ２０２でＹＥＳ）、デジタルカメラはプレビューモードから撮影モードに切り替わり、ＣＰＵ２００は露出パラメータを手動値に設定して（Ｓ２０９）、撮影モードで撮像素子１０１から画像信号を読み出す（Ｓ２１０）。露出パラメータを手動値に設定して得られる画像信号は第２画像信号である。第２画像信号はＡＤ変換回路１０４及びデジタル信号処理回路１０５で処理され、デジタル信号処理回路１０５はＣＰＵ２００からの指令に応じ、第２画像信号を画像処理プロセッサ１０９に出力する。画像処理プロセッサ１０９は圧縮等の処理を行い、処理画像を撮影画像として半導体メモリカード１１２に格納する（Ｓ２１１）。
【００４２】
本実施形態においても、プレビュー時には適正露出の被写体画像が液晶モニタ１１１に表示されるとともに、ユーザが手動設定した露出条件に合致した輝度ヒストグラムが表示されるので、ユーザは構図を確認しつつ、自己の設定した露出条件をヒストグラムで確認することができる。
【００４３】
以上、本発明の実施形態について説明したが、本発明はこれに限らず他の形態も可能である。例えば、本実施形態においてプレビュー時に被写体画像とともにユーザが手動設定した露出条件の輝度ヒストグラムを表示しているが、さらに適正露出の被写体画像の輝度ヒストグラムを表示してもよく、両輝度ヒストグラムを対比して表示することでユーザは自己のマニュアル露出設定の効果をより効果的に確認することができる。
【図面の簡単な説明】
【００４４】
【図１】実施形態のデジタルカメラの構成ブロック図である。
【図２】実施形態の処理フローチャートである。
【図３】実施形態のタイミングチャートである。
【図４】実施形態の画面表示を示す説明図である。
【図５】他の実施形態のデジタルカメラの構成ブロック図である。
【図６】他の実施形態の処理フローチャートである。
【符号の説明】
【００４５】
１０  レンズ、１２  絞り、１０１  撮像素子、１０２  アナログ画像処理回路、１０４  ＡＤ変換回路、１０５  デジタル信号処理回路、１０６  マルチプレクサ、１０７  モニタ信号処理回路、１０８  ヒストグラム生成回路、１０９  画像処理プロセッサ、１１０  ＬＣＤ駆動回路、１１１  液晶モニタ、１１２  半導体メモリカード、２００  ＣＰＵ、３００  操作部、３０２  レリーズボタン。
【図１】
2007110454.tif 000003
【図２】
2007110454.tif 000004
【図３】
2007110454.tif 000005
【図４】
2007110454.tif 000006
【図５】
2007110454.tif 000007
【図６】
2007110454.tif 000008